(57)【特許請求の範囲】
【請求項１】
筒状の収納ケースに内挿される筒状のポールを備え、ポールが収納ケースに対してスライド昇降可能となっている昇降ポールにおいて、
ポールの底部と収納ケースの内壁とで形成される変圧室と、この変圧室に連通する流孔とを収納ケースに設け、該流孔からの流体の流入によって変圧室内を加圧してポールが上昇駆動され、該流孔からの流体の吸引によって変圧室内を減圧してポールが下降駆動されるようになっていると共に、
ポールの周壁に形成された出没孔を通じて収納ケース内側面に備える係止凹部に対して係入可能な係止部材と、係止部材を係入方向に付勢して係止凹部へ係入させる付勢手段と、ポールの底壁部裏面に対して接近する上方向へ可動とされ、変圧室に対する気密状態又は液密状態を与えるパッキン部材を外周面に有するスライドプレートと、変圧室の加圧により上昇するスライドプレートのポール底壁部裏面に対する上昇状態に連動して係止部材を係入方向であるポールの外側面へ突出させて、係止凹部に対する係入を許容するロック付与手段と、を備えることを特徴とする昇降ポール。
【請求項２】
筒状の収納ケースに内挿される筒状のポールを備え、ポールが収納ケースに対してスライド昇降可能となっている昇降ポールにおいて、
ポールの底部と収納ケースの内壁とで形成される変圧室と、この変圧室に連通する流孔とを収納ケースに設け、該流孔からの流体の流入によって変圧室内を加圧してポールが上昇駆動され、該流孔からの流体の吸引によって変圧室内を減圧してポールが下降駆動されるようになっていると共に、
ポールの周壁に形成された出没孔を通じて収納ケース内側面に備える係止凹部に対して係入可能な係止部材と、係止部材を係入方向に付勢して係止凹部へ係入させる付勢手段と、ポールの底面部裏面に対して離間する下方向へ可動とされ、変圧室に対する気密状態又は液密状態を与えるパッキン部材を外周面に有するスライドプレートと、変圧室の減圧により下降するスライドプレートのポール底壁部裏面に対する下降状態に連動して係止部材を反係入方向であるポールの内側面へ没入させて、係止凹部に対して係止不可能とするロック規制手段と、を備えることを特徴とする昇降ポール。
【請求項３】
筒状の収納ケースに内挿される筒状のポールを備え、ポールが収納ケースに対してスライド昇降可能となっている昇降ポールにおいて、
ポールの底部と収納ケースの内壁とで形成される変圧室と、この変圧室に連通する流孔とを収納ケースに設け、該流孔からの流体の流入によって変圧室内を加圧してポールが上昇駆動され、該流孔からの流体の吸引によって変圧室内を減圧してポールが下降駆動されるようになっていると共に、
ポールの周壁に形成された出没孔を通じて収納ケース内側面に備える係止凹部に対して係入可能な係止部材と、係止部材を係入方向に付勢して係止凹部へ係入させる付勢手段と、ポールの底壁部裏面に対して接近する上方向及び離間する下方向へ可動とされ、変圧室に対する気密状態又は液密状態を与えるパッキン部材を外周面に有するスライドプレートと、変圧室の加圧により上昇するスライドプレートのポール底壁部裏面に対する上昇状態に連動して係止部材を係入方向であるポールの外側面へ突出させて、係止凹部に対する係入を許容するロック付与手段と、変圧室の減圧により下降するスライドプレートのポール底壁部裏面に対する下降状態に連動して係止部材を反係入方向であるポールの内側面へ没入させて、係止凹部に対して係止不可能とするロック規制手段と、を備えることを特徴とする昇降ポール。
【請求項４】
請求項１〜請求項３の何れか１項に記載の昇降ポールを少なくとも一つ備える自動昇降ポールシステムであって、吸入端から流入させた流体を吐出端から流出させる流体供給装置と、流体供給装置の吸入端と吐出端とに接続される主管路と、主管路と昇降ポールの収納ケースの変圧室に連通する流孔とに接続される枝管路と、枝管路と流体供給装置の吸入端との間の管路に設けられ、ポール上昇時には流体供給装置の吸入端を開放する一方で、ポール下降時には流体供給装置の吐出端を枝管路に接続する第１流路切換手段と、枝管路と流体供給装置の吐出端との間の管路に設けられ、ポール上昇時には流体供給手段の吐出端を枝管路に接続する一方で、ポール下降時には吐出端を開放する第二流路切換手段と、を備えることを特徴とする自動昇降ポールシステム。
【請求項５】
流体が空気であり、流体供給装置が送風機であり、第１流路切換手段及び第２流路切換手段が三方弁である請求項４に記載の自動昇降ポールシステム。
【発明の詳細な説明】
【０００１】
【発明の属する技術分野】
地中に埋設した収納ケースからポールを地上に引き出して、引き出した複数のポールどうしを鎖で繋ぎ、敷地を囲うような光景が街中の至る所で見られる。本発明は、このような地中に埋設した収納ケースに対してスライド昇降可能なポールを備える昇降ポールに関する。
【０００２】
【従来の技術】
上述のような従来の昇降ポールは、未使用時には地中に埋設した収納ケースに収納され、使用時にはこの収納ケースから人手でポールを引き出して地上に突出させるようになっている。
【０００３】
【発明が解決しようとする課題】
しかしながら、２，３本のポールを立てるのであればさほど手間も掛からないが、それ以上となると１本１本ポールを立てたり収納したりするのは一々面倒である。こうした従来技術を背景になされたのが本発明であって、その目的は、収納ケースに対するポールの上げ下ろしを自動で行うことのできる技術を提供することにある。
【０００４】
【課題を解決するための手段】
この目的を達成するために本発明は、筒状の収納ケースに内挿される筒状のポールを備え、ポールが収納ケースに対してスライド昇降可能となっている昇降ポールについて、ポールの底部と収納ケースの内壁とで形成される変圧室と、この変圧室に連通する流孔とを収納ケースに設け、該流孔からの流体の流入によって変圧室内を加圧してポールが上昇駆動され、該流孔からの流体の吸引によって変圧室内を減圧してポールが下降駆動されるようになっていることを特徴としている。
【０００５】
この昇降ポールによれば、ポールは変圧室に供給される例えば気体や液体といった流体の加圧力を受けて上昇駆動され、引き出すことができ、また変圧室内から吸引される流体の減圧力を受けて下降駆動され、地中に埋設した収納ケースに納めることができる。従って、ポールを収納ケースから出し入れするのに１本１本人手でポールを出し入れする作業が不要である上に、ポールを上下動させるための駆動モータといった電気的要素やその駆動力をポールの上下動に変換する機械的要素も不要であるから、雨水の影響を受けやすい屋外に設置しても故障が少なく動作信頼性の高い昇降ポールとすることができる。また、仮に、収納ケースとポールとの隙間を伝って雨水が変圧室内に流れ込んだとしても、流体の吸引と共に雨水も吸引されて収納ケースから排水できるため、収納ケースの内部が水浸しのままになってしまうようなこともない。
【０００６】
上記の昇降ポールについては、所定の上昇位置でポールを収納ケースに対してロックできると便利である。このロック機構として本発明の昇降ポールでは、ポールの周壁に貫通形成された出没孔を通じて収納ケース内側面に備える係止凹部に対して係入可能な係止部材と、係止部材を係入方向に付勢して係止凹部へ係入させる付勢手段と、を備えるものとしている。
【０００７】
これによれば、係止部材は、ポールの上昇により収納ケースの係止凹部の高さ位置に来ると、付勢手段の付勢を受けて出没孔を通じて係止凹部へ係入するから、人手を介さずともポールを収納ケースに対して自動的にロックすることができる。
【０００８】
このように人手を介さずにポールを収納ケースに対してロック可能とする具体的構成として本発明の昇降ポールは、ポールの底壁部裏面に対して接近する上方向へ可動とされ、変圧室に対する気密状態又は液密状態を与えるパッキン部材を外周面に有するスライドプレートと、変圧室の加圧により上昇するスライドプレートのポール底壁部裏面に対する上昇状態に連動して係止部材を係入方向であるポールの外側面へ突出させて、係止凹部に対する係入を許容するロック付与手段と、を備えるものとしてある。
【０００９】
また、人手を介さずに収納ケースに対してポールをロックさせないように規制可能とする具体的構成として本発明の昇降ポールは、ポールの底面部裏面に対して離間する下方向へ可動とされ、変圧室に対する気密状態又は液密状態を与えるパッキン部材を外周面に有するスライドプレートと、変圧室の減圧により下降するスライドプレートのポール底壁部裏面に対する下降状態に連動して係止部材を反係入方向であるポールの内側面へ没入させて、係止凹部に対して係止不可能とするロック規制手段と、を備えるものとして構成してある。
【００１０】
そして、本発明では、以上のような何れかの昇降ポールを利用する自動昇降ポールシステムを提供する。即ち、本発明は、吸入端から流入させた流体を吐出端から流出させる流体供給装置と、流体供給装置の吸入端と吐出端とに接続される主管路と、主管路と昇降ポールの収納ケースの変圧室に連通する流孔とに接続される枝管路と、枝管路と流体供給装置の吸入端との間の管路に設けられ、ポール上昇時には流体供給装置の吸入端を開放する一方で、ポール下降時には流体供給装置の吐出端を枝管路に接続する第１流路切換手段と、枝管路と流体供給装置の吐出端との間の管路に設けられ、ポール上昇時には流体供給手段の吐出端を枝管路に接続する一方で、ポール下降時には吐出端を開放する第二流路切換手段と、を備えることを特徴とする自動昇降ポールシステムを提供する。
【００１１】
この自動昇降ポールシステムによれば、構成が極めて簡易で有りながらも、例えば三方弁とその制御装置で何れも実現可能な第１流路切換手段と第２流路切換手段の切換動作によって、ポールの昇降動作を自動で確実に行うことができる。また、駆動源として電動モータを利用し昇降ポールを屋外に設置すると雨水の浸入により故障することがあるが、本発明の自動昇降ポールシステムによれば、ポールの駆動源は気体や液体といった流体であり、駆動源として故障要素の多い電気的要素や機械的要素が不要であるから、雨水の影響を受ける屋外に設置しても動作信頼性の高いシステムとすることができる。また、複数の昇降ポールを設置する場合でも、各昇降ポールに駆動源を備える必要がなく、流体供給装置と各昇降ポールを流体流通用の配管で連結すれば足りるので、システム構成が簡単で施工も容易である。
【００１２】
そして、上記自動昇降ポールシステムで使用する流体供給装置としては、例えば吸引・排気のできるような送風機を利用したり、コンプレッサーを利用することができる。
【００１３】
【発明の実施の形態】
本発明の一実施形態による昇降ポールとそれを利用する自動昇降ポールシステムについて図面を参照しつつ説明する。
【００１４】
昇降ポールの一実施形態（図１〜図４）
【００１５】
昇降ポール１の構成；  図１で示す昇降ポール１は、円筒状の収納ケース２と、同じく円筒状のポール３とを備えており、“流体”として空気によってポール３を昇降するようになっている。このうち収納ケース２は、塩ビ製の円筒形状の本体パイプ２１と、その上端に当接する上部パイプ２２と、これを外套する上部パイプカバー２３と、上部パイプ２２の内側に設けたポールガイド２４を備えている。
【００１６】
本体パイプ２１は、その下端が気密状態として底板２１ａに固定されている。そして、この底板２１ａにネジ止めしてある基礎板２１ｂにはＯリング２１ｃが設けてあって、底板２１ａとの接面から本体パイプ２１内の空気が漏れ出ないようにしてある。また、本体パイプ２１の下端には、流孔２１ｄが形成されており、ここには配管４を介して“流体供給装置”としての送風機５に連通するエルボ管２１ｅが接続されている。
【００１７】
上部パイプ２３の上端外周にはフランジプレート２２ａが取り付けてあり、さらにその上には、内周面にポール３の外周面に対して弾力的に摺接してゴミや土砂や雨水の浸入を抑制するためのパッキン２５ａを備えるカバープレート２５が取り付けられている。
【００１８】
ポールガイド２４は、本体パイプ２１の内壁面よりも内側に若干突出する内壁面を有するものとして構成されており、その内側に突出する下端部２４ａがポール３の上昇限界となっている。また、ポールガイド２４の内壁面には係止凹部２４ｂが形成されている。
【００１９】
そして、カバープレート２５とフランジプレート２２ａを取り外すと共にポールガイド２４を抜き取る簡単な作業で、ポール３を収納ケース２から抜き取れるようにしてあり、メンテナンスを簡単に行えるようにしてある。
【００２０】
ポール３は、上端に着脱自在なキャップ３１ａを取り付けたポール本体３１を備えている。ポール本体３１の周壁には、後述するロックピン３８ｃをポール本体３１から出没可能とするための出没孔３１ｂが形成されている。また、ポール本体３１は、図２の拡大断面で示すように、その下端が、環状の緩衝パッド３２ａを取り付けてある連結環材３２に溶着されている。そして、連結環材３２は、ガイド孔３３ａが貫通形成されている“底壁部”としての底板３３の外周にネジ止めにより装着されている。
【００２１】
底板３３のガイド孔３３ａには、上下方向に伸長するピストンロッド３４がスライド昇降自在として挿通されている。ピストンロッド３４の下端は、外周面に本体パイプ２１の内周面に対して弾力的に摺接し、その摺接箇所より上側に対して下側を気密に保持する環状のパッキン３５ａを有するスライドプレート３５にナット止めされている。そして、パッキン３５ａの摺接箇所より下側の内部空間によって変圧室３６が構成されている。
【００２２】
一方、ピストンロッド３２の上端は、後述する“係止部材”としてのロックピン３８ｃに対して、そのロック動作を許容し、ロック動作を規制する規制部材３７に対して固定されている。規制部材３７は、図２と図３で示すように、一対の側壁部３７ａと、その下端どうしを部分的に繋ぐ底壁部３７ｂとが形成されていて、このうちの底壁部３７ｂの底面にピストンロッド３４の上端が溶着されている。一対の側壁部３７ａには、台形開口部３７ｃが形成されており、その斜辺部３７ｄによってロックピン３８ｃに対して、そのロック動作を許容し、ロック動作を規制するようになっている。
【００２３】
３８は底板３３にネジ止めしてある保持部材で、角棒状の基部３８ａの両端に取付脚部３８ｂを有している。保持部材３８は、図３で示すように、基部３８ａを規制部材３７の一対の側壁部３７ａの間に挟み込ませた状態で、取付脚部３８ｂを底板３３にネジ止めしてあって、保持部材３８（ポール３の底板３３）と規制部材３７は互いに上下方向で相対的に可動となっている。保持部材３８の基部３８ａには、“係止部材”としてのロックピン３８ｃと、このロックピン３８ｃをポール３の径方向外向きに常時付勢する“付勢手段”としての圧縮コイルばね３８ｄと、を収納する収納凹部３８ｅが形成されている。
【００２４】
ロックピン３８ｃには、貫通形成された取付孔にそのロック動作を許容し、ロック動作を規制するピン部材３８ｆが挿通されている。このピン部材３８ｆは、その両端が、保持部材３８の収納凹部３８ｅを形成する壁に貫通形成されたガイド孔３８ｇから突出し、さらに規制部材３７の側壁部３７ａの台形開口部３７ｃからも突出するような長さとなっている。従って、ロックピン３８ｃは、圧縮コイルばね３８ｄによって外向きに常時付勢されているため、ピン部材３８ｆが台形開口部３７ｃの斜辺部３７ｄに対して常時接触した状態となっている。
【００２５】
昇降ポール１の動作；  次に、上記構成の昇降ポール１の動作説明をする。ポール３を図１の実線で示す状態から二点鎖線で示す状態に上昇させるには、まずエルボ管２１ｅを通じて変圧室３６に空気を供給し続ける。すると、変圧室３６内が加圧され、それによってスライドプレート３５が上向きの加圧力を受けて上昇する。即ち、ポール３の底板３３の上面に接していた規制部材３７の底壁部３７ｂの裏面がそこから上昇して離れる。そして、今度は規制部材３７の底壁部３７ｂの上面が、保持部材３８の基部３８ａの底面と接触し、ポール３が上昇し続けていく。
【００２６】
ここで、ロックピン３８ｃの動作を説明する。上述のように、規制部材３７の底壁部３７ｂの裏面がポール３の底板３３の上面から離れるまでは、ロックピン３８ｃは、常時圧縮コイルばね３８ｄによって出没孔３１ｂからポール３の外へ突出するように付勢されているが、図１及び図２で示すように、ピン部材３８ｆが斜辺部３７ｄの上側に接触しているため、出没孔３１ｂからは突出できない状態とされている。そして、上述のように、規制部材３７の底壁部３７ｂの裏面がポール３の底板３３の上面から離れてからは、保持部材３８に対し規制部材３７が上昇するため、保持部材３８のピン部材３８ｆが規制部材３７の斜辺部３７ｄの下側に摺動していく。そして、最終的に、底壁部３７ｂの上面が保持部材３８の基部３８ａの底面と接触する時点では、図１及び図４で示すように、ピン部材３８ｆは斜辺部３７ｄの最下端へ移動しており、これによってロックピン３８ｃの出没孔３１ｂからの突出長さは最長となって、収納ケース２の係止凹部２４ｂに対して係入可能となる。
【００２７】
以上のようにしてポール３は上昇し続けて行くが、連結環材３２の緩衝パッド３２ａが、ポールガイド２４の下端部２４ａと接触すると、ポール３はそれ以上上昇できないことになる。この時点で、ロックピン３８ｃがポールガイド２４の係止凹部２４ｂに係入して、ポール３の上昇状態が収納ケース２に対してロックされる。このロック状態では、勿論空気の供給を止めても、ポール３はロックされたままである。
【００２８】
さて、こうしてロックされたポール３を下降させるには、変圧室３６へ供給した空気を今度は吸引していく。すると、変圧室３６の室内は気密となっているので、吸引による減圧力の作用によってスライドプレート３５、ピストンロッド３４、規制部材３７が一体として下降し、この下降とともにピン部材３８ｆが斜辺部３７ｄの上側へ摺動していく。こうしてロックピン３８ｃが出没孔３１ｂから突出できる長さが徐々に短く制限されていって、係止凹部２４ｂに対するロックが解除される。そしてそのまま変圧室３６内の空気を吸引を続けると、ポール３は、最終的に図１の実線で示す状態や図２で示す状態に戻って、収納ケース２内に収納されることになる。
【００２９】
また、上記のような昇降ポール１については、何らかの原因で変圧室３６内の空気を吸引してもロックピン３８ｃの係止凹部２４ｂに対するロックを解除できない場合に、緊急避難的にポール３を下降させることもできるようになっている。こうした場合には、ポール本体３１からキャップ３１ａを取り外して、長い棒のようなもので規制部材３７の側壁部３７ａの頂部を下向きに押せばよい。こうすれば、手動でもロック状態を解除してポール３を収納ケース２に下降させることができる。
【００３０】
自動昇降ポールシステムの一実施形態（図５）
【００３１】
上述した昇降ポール１を利用する自動昇降ポールシステムの一実施形態について図５を参照しつつ説明する。この自動昇降ポールシステムは、図５で示すように、上述した収納ケース２が地面ｇの下に埋設されている複数の昇降ポール１と、地中に埋設される配管４と、“流体供給手段”として昇降ポール１に空気を送風する送風機５を備えている。送風機５の吸引側と吐出側とは主管路４１を介して接続されており、この主管路４１には各昇降ポール１のエルボ管２１ｅ（図１参照）に接続される枝管路４２が接続されている。４３は“第１流路切換手段”としての三方弁で、枝管路４２と送風機５の吸引側との間の主管路４１上に接続されている。また、４４は“第２流路切換手段”としての三方弁で、枝管路４２と送風機５の吐出側との間の主管路４１上に接続されている。
【００３２】
次に、この自動昇降ポールシステムの動作を説明する。なお、各昇降ポール１の動作は既に説明してあるので重複説明を避けるため省略する。図５では既に昇降ポール１のポール３が上昇している状態を示してあるため、先ずポール３の下降動作を説明する。ポール３を下降させる際には、三方弁４３を送風機５の吸引側と枝管路４２とに接続する一方で、三方弁４４を送風機５の吐出側と大気とに接続する。この状態で送風機５を駆動すると、各昇降ポール１の変圧室３６内の空気は、枝管路４２と主管路４１を通じて三方弁４３を通じて送風機５に吸引され、三方弁４４を通じて大気に排出されていく。こうして吸引されていくと、上述のようにして各昇降ポール１のポール３を自動で下降駆動することができる。
【００３３】
逆に、下降状態のポール３を上昇させる際には、三方弁４３を送風機５の吸引側と大気に接続する一方で、三方弁４４を送風機５の吐出側と枝管路４２とに接続する。この状態で送風機５を駆動すると、三方弁４３を通じて送風機５の吸引側に大気から空気が吸い込まれる。そして、吐出側から出た空気は、三方弁４４と主管路４１と枝管路４２を通じて各昇降ポール１の変圧室３６に供給される。こうして空気が供給されると、上述したようにポール３を自動で上昇駆動させることができる。
【００３４】
ここで、以上のような自動昇降ポールシステムの多彩な利用例についても触れておく。図１〜図５で示す昇降ポール１の形状は、例えば複数のポールを地面に立ててポールどうしを鎖で繋ぐことで、敷地の境界を示したり敷地を囲うために街中でよく見られるタイプのものである。これだけでなく、例えば時間帯に応じて道路の中央線を変更するような場合には、昇降ポール１に備えるポール３として軟質なゴム製の短いポールを利用して、自動で昇降させて道路の中央線を変更するなどの使い方もある。また、テニスコートに張るネットを支持するための支柱や、庭先でゴルフの練習する際に打ったボールを受けるためのネットを支持するための支柱について、上述の自動昇降ポールシステムを使用することもできる。
【００３５】
昇降ポール１と自動昇降ポールシステムの変形例（図６）
【００３６】
上述した昇降ポール１のポール３については、例えば図６のようなポール３としてもよい。なお、図１で示す昇降ポール１と同じ構成要素については同一符号を付して重複説明を省略する。
【００３７】
このポール３に備える連結環材３２には、環状のパッキン３２ｂを備えていて、このパッキン３２ｂを境に下側の内部空間が気密な変圧室３６を構成している。連結環材３２に対してネジ止めされている底板３３には、その底面にゴム板３３ｂがネジ止めされている。また、底板３３のガイド孔３３ａに挿通されたピストンロッド３４の下端にはゴム板３３ｂが固定されている。ピストンロッド３４の上端には、ロックピン３８ｃの基端側と、このロックピン３８ｃを外向きに付勢する圧縮コイルばね３８ｄと、を収納凹部３８ｅに収納してある保持部材３８が軸支されている。そして、ロックピン３８ｃの先端側は、その軸支点を支点として上下方向に揺動可能となっている。
【００３８】
そして、ポール３を収納ケース２から上昇させるには、収納ケース２の本体パイプ２１に接続したエルボ管２１ｅを通じて変圧室３６の室内に空気を供給し続ける。すると、ポール３は、図６（ａ）のように、加圧力によって上昇していく。そして、図６（ａ）の状態から更に上昇し続けていくと、ロックピン３８ｃが係止凹部２４ｂに係入して、ポール３が収納ケース２に対して自動でロックされる。
【００３９】
一方、このロック状態を解除するには、上記エルボ管２１ｂを通じて変圧室３６の空気を吸引し続ける。すると、図６（ｂ）のように、減圧力を受けてゴム板３３ｂの中央部分が下方に撓み変形し、この変形に伴ってピストンロッド３４が下降する。すると、保持部材３８が「Ｙ」字状に揺動し、ロックピン３８ｃが係止凹部２４ｂから外れてロックが自動的に解除される。そして、このロック解除後もそのまま吸引を続ければ、ポール３は収納ケース２に自動で収納されることになる。
【００４０】
また、何らかの原因で変圧室３６内の空気を吸引してもロックが解除されない場合には、ポール本体３１からキャップ３１ａを取り外し、長い棒のようなものでピストンロッド３４の頂部を下向きに押すようにする。こうすれば、手動であってもロックピン３８ｃの係止凹部２４ｂに対するロックを解除でき、ポール３を収納ケース２に収納できる。
【００４１】
上述した自動昇降ポールシステムでは、“流体供給装置”として送風機５を例示したが、それ以外にもコンプレッサーを使用してもよい。また、上記実施形態では“流体”として空気を例示したが、その他の気体や水などの液体を利用してもよい。なお、液体を“流体”として利用する場合には、上記自動昇降ポールシステムの実施形態で大気に接続するようになっている三方弁４３，４４を流体の貯蔵タンク等に接続しておくようにする。
【００４２】
上述した昇降ポール１は、ポール３が一段しか上昇しない単段式のものを例示したが、ポール３が多段で昇降するような多段式のものとしてもよい。
【００４３】
【発明の効果】
本発明の昇降ポールによれば、人手を介さず自動で収納ケースからポールを昇降させることが可能である。そして、電動モータなどの電気的要素や電動モータの駆動をポールの昇降動作に変換する機械的要素を使用せず、ポールに昇降動作を与えるために流体を利用するので、屋外に設置しても雨水の影響で故障するようなことはない。また、仮に、収納ケースとポールとの隙間を伝って雨水が変圧室内に流れ込んだとしても、流体の吸引と共に雨水も吸引されて収納ケースから排水できるため、収納ケースの内部が水浸しのままになってしまうようなこともない。
【００４４】
また、本発明の自動昇降ポールシステムは、上述した昇降ポールの効果に加えて、昇降ポールと流体供給装置と所定の配管によって構成できるので、容易に施工することができ、設置コストも低く抑えることができる。
【図面の簡単な説明】
【図１】本発明の一実施形態による昇降ポールを示す部分断面図。
【図２】最下降状態にある図１の昇降ポールの内部構造を示す図３のＡ−Ａ線に沿う拡大断面図。
【図３】図１の昇降ポールの内部構造を示す拡大断面図。
【図４】最上昇状態にある図１の昇降ポールの内部構造を示す拡大断面図。
【図５】図１の昇降ポールを利用する自動昇降ポールシステムの模式図。
【図６】昇降ポールの変形例を示す拡大断面図で、分図（ａ）はポールの上昇過程を示す部分拡大断面図で、分図（ｂ）はポールの下降過程を示す部分拡大断面図。
【符号の説明】
１  昇降ポール（第１実施形態）
２  収納ケース
２１  本体パイプ
２１ｄ  流孔
２４  ポールガイド
２４ｂ  係止凹部
３  ポール
３１  ポール本体
３３  底板（底壁部）
３５  スライドプレート（底部）
３６  変圧室
３７  規制部材（ロック付与手段，ロック規制手段）
３７ｄ  斜辺部（ロック付与手段，ロック規制手段）
３８  保持部材
３８ｃ  ロックピン（係止部材）
３８ｄ  圧縮コイルばね（付勢手段）
３８ｆ  ピン部材（ロック付与手段，ロック規制手段）
３８ｇ  ガイド孔（ロック付与手段，ロック規制手段）
４  配管
４１  主管路
４２  枝管路
４３  三方弁（第１流路切換手段）
４４  三方弁（第２流路切換手段）
５  送風機（流体供給手段）
【図１】
0003639780.tif 000002
【図２】
0003639780.tif 000003
【図３】
0003639780.tif 000004
【図４】
0003639780.tif 000005
【図５】
0003639780.tif 000006
【図６】
0003639780.tif 000007